(57)【特許請求の範囲】
【請求項１】
無線通信システム（６）における伝送チャネルのサブチャネル（２４，２６，２８）の伝送性能を判定するための装置（２）であって、
送受信装置（４）を含み、
前記送受信装置（４）は、該送受信装置（４）と前記無線通信システム（６）に備えられた少なくとも１つの端末装置（８，１０）との間の伝送チャネルをセットアップするために、前記サブチャネル（２４，２６，２８）に収容するためのデータ伝送信号サブキャリア（３８，４０，４２）を生成するために、かつ、干渉（４４，４６，４８）と重なりあった信号サブキャリア（３８，４０，４２）に基づいてサブチャネル（２４，２６，２８）の伝送性能を同時に判定するために、形成され、
各信号サブキャリア（３８，４０，４２）での伝送は、個々の変調タイプ、個々のデータ率、及び／又は、個々のチャネル符号化タイプによって特徴付けられ、
各サブチャネル（２４，２６，２８）は、伝送チャネルの全帯域レンジ（３０）の個々の帯域サブレンジ（３２，３４，３６）を占め、
前記帯域サブレンジ（３２）は、全帯域レンジ（３０）における残りの帯域サブレンジ（３４，３６）から帯域内で離れており、
前記装置（２）は、干渉信号発生器（１２）を含み、該干渉信号発生器（１２）は、いくつかの干渉信号を互いに重ね合わせることによって生成された前記干渉（４４，４６，４８）を伝送し、
前記干渉（４４，４６，４８）のそれぞれは、帯域サブレンジ内部の個々の位置で、対応する帯域サブレンジ（３２，３４，３６）に帯域制限されており、個々の干渉パラメータタイプを備えている、装置。
【請求項２】
前記送受信装置（４）、及び／又は、前記端末装置（８，１０）は、前記信号サブキャリア（３８，４０，４２）経由で伝えられたデータのエラー検出を実行するために形成されることを特徴とする請求項１に記載の装置。
【請求項３】
前記送受信装置（４）は、ビットエラー率、ブロックエラー率、及び／又は、セルロス率を前記エラー検出から測定することによって前記サブチャネル（２４，２６，２８）の前記伝送性能を判定するために形成されることを特徴とする請求項２に記載の装置。
【請求項４】
サブチャネル（２４，２６，２８）は、信号サブキャリア（３８，４０，４２）ごとに提供されることを特徴とする請求項１から３のいずれか１項に記載の装置。
【請求項５】
いくつかのサブチャネル（２４，２６，２８）は、前記送受信装置（４）でセットアップされることを特徴とする請求項１から４のいずれか１項に記載の装置。
【請求項６】
前記帯域サブレンジ（３２，３４，３６）を離すために、保護帯域レンジ（５０，５２）が後者の間に提供されることを特徴とする請求項１から５のいずれか１項に記載の装置。
【請求項７】
前記干渉（４４，４６，４８）は、周波数、振幅、及び／又は、位相の点で異なることを特徴とする請求項１から６のいずれか１項に記載の装置。
【請求項８】
前記信号サブキャリア（３８，４０，４２）によって占められた前記帯域サブレンジ（３２，３４，３６）は、異なる帯域を提供することを特徴とする請求項１から７のいずれか１項に記載の装置。
【請求項９】
前記信号サブキャリア（３８，４０，４２）は、データ率、変調方式、及び／又は、チャネル符号化方式の点で互いに異なることを特徴とする請求項１から８のいずれか１項に記載の装置。
【請求項１０】
前記送受信装置（４）は、システムシミュレータであることを特徴とする請求項１から９のいずれか１項に記載の装置。
【請求項１１】
前記干渉信号生成器（１２）は、ベクトル信号発生器であることを特徴とする請求項１から１０のいずれか１項に記載の装置。
【請求項１２】
無線通信システム（６）における伝送チャネルのサブチャネル（２４，２６，２８）の伝送性能を判定するための方法であって、
データを含む信号サブキャリア（３８，４０，４２）は、前記無線通信システム（６）内で前記伝送チャネルをセットアップするために、かつ、前記伝送チャネルのサブチャネル（２４，２６，２８）に収容するために生成され、
前記サブチャネル（２４，２６，２８）の前記伝送性能は、干渉（４４，４６，４８）と重なりあった信号サブキャリア（３８，４０，４２）に基づいて同時に判定され、
各信号サブキャリア（３８，４０，４２）での伝送は、個々の変調タイプ、個々のデータ率、及び／又は、個々のチャネル符号化タイプによって特徴付けられ、
各サブチャネル（２４，２６，２８）は、前記伝送チャネルの全帯域レンジ（３０）の個々の帯域サブレンジ（３２，３４，３６）を占め、
前記帯域サブレンジ（３２）は、全帯域レンジ（３０）における残りの帯域サブレンジ（３４，３６）から帯域内で離れており、
干渉信号発生器（１２）は、いくつかの干渉信号を互いに重ね合わせることによって生成された前記干渉（４４，４６，４８）を伝送し、
前記干渉（４４，４６，４８）のそれぞれは、帯域サブレンジ内部の個々の位置で、対応する帯域サブレンジ（３２，３４，３６）に帯域制限されており、個々の干渉パラメータタイプを備えている、方法。
【請求項１３】
前記伝送性能を判定するために、前記信号サブキャリア（３８，４０，４２）経由で伝送される、データのエラー検出は、巡回拡張検査の手法、及び／又は、肯定応答／否定応答信号（ＡＣＫ／ＮＡＫ）の手法によって実行され、
前記肯定応答／否定応答信号（ＡＣＫ／ＮＡＫ）は、信号サブキャリア（３８，４０，４２）経由で伝送されたデータを受信するための端末装置（８，１０）によって生成されて送受信装置（４）へ伝送され、前記送受信装置（４）から前記端末装置（８，１０）が前記データを受信することを特徴とする請求項１２に記載の方法。
【請求項１４】
前記サブチャネル（２４，２６，２８）の前記伝送性能は、ビットエラー率、ブロックエラー率、及び／又は、セルロス率をエラー検出から測定することによって判定されることを特徴とする請求項１３に記載の方法。
【発明の詳細な説明】
【技術分野】
【０００１】
本発明は、無線通信システムにおける伝送チャネルのサブチャネルの伝送性能を判定するための装置及び方法に関する。
【背景技術】
【０００２】
隣接したチャネルにおけるスペクトラムを測定する方法及びテスト装置はDE 100 43 894 A1から知られている。
【０００３】
第３世代以降の携帯電話機のアーキテクチャ（ＵＭＴＳ，３  ＧＰＰ−ＬＴＥ）は、主としてＯＦＤＭ変調方式、及び、多重接続方式であるＦＤＭＡ／ＴＤＭＡを備えたＯＦＤＭ方式にマルチキャリア変調を兼ね備えたＯＦＤＭＡ変調方式に基づいている。ＯＦＤＭ変調方式及びＯＦＤＭＡ変調方式であれば、単一の信号キャリアに代えて、伝送チャネルのサブチャネルに割り当てられる、比較的大多数の信号サブキャリアが伝送チャネルにおける情報を伝送するために同時に変調され、符号化される。
【０００４】
伝送チャネルのサブチャネルの品質に依存して、信号サブキャリアは異なった変調と符号化を使用して操作できる。伝送チャネルの効率的な開発を達成するために、伝送チャネルの伝送性能に関し、信号サブキャリアの符号化、変調、及び／又は、振幅が適応できる。これは、伝送出力が伝送チャネル内での干渉を最小限に抑え、信号サブキャリアの有益な出力を向上させるためにターゲットとされた出力管理又は出力調整の方式によって伝送チャネルの異なった伝送性能に適応するということを意味する。この目的のために、伝送チャネル、特に、サブチャネルの伝送性能を知ることが必要である。
【０００５】
無線通信システムにおける伝送チャネルのサブチャネルの伝送性能を判定するために、データを含む信号サブキャリアは、最初にサブチャネルに収容するために生成される。伝送チャネルを通してデータの伝送が成功した後、信号サブキャリア、及び／又は、信号サブキャリアの方式によって伝送されたデータは、エラーに関する調査がなされ、伝送チャネルの伝送性能を判定するために解析される。
【０００６】
異なるタイプの干渉パラメータの存在における伝送チャネル及びそのサブチャネルの性能を調査するために、干渉パラメータの一つ、及び／又は、信号データキャリアのパラメータの一つに関し個々の調査を実行することが標準となっている。干渉パラメータは、特に種類に依存した時刻及び／又は空間で変化したり、及び／又は、異なるタイプの信号データキャリアのパラメータ、特に変調パラメータ、符号パラメータ、及び／又は、振幅パラメータ、で変化したりする。
【発明の概要】
【発明が解決しようとする課題】
【０００７】
それゆえ、本発明は、無線通信システムにおける伝送チャネルのサブチャネルの伝送性能が判定され、特に、干渉パラメータの異なるタイプの存在、コスト上特に好ましくかつ低コストなやり方、瞬時かつ信頼できるやり方でも判定される装置と方法を特定するという目的に基づいている。
【課題を解決するための手段】
【０００８】
装置に関し、本目的は、クレーム１の特徴による発明によって達成される。さらなる有利な発展は、後に参照する従属クレームの法定の主題を形成する。
【０００９】
方法に関し、本目的は、クレーム１４の特徴による発明によって達成される。さらなる有利な発展は、後に参照する従属クレームの法定の主題を形成する。
【００１０】
無線通信システム、特に、モバイル通信システムにおける伝送チャネルのサブチャネルの伝送性能を判定するために、信号サブキャリアは最初に無線通信システム内で伝送チャネルのセットアップ用に生成され、伝送チャネルのサブチャネルに収容される。この状況で、各サブチャネルは、伝送チャネルに割り当てられた全帯域レンジの帯域サブレンジを占め、そこでは、帯域サブレンジが、オーバーラップせず、スペクタクル的に全帯域レンジ上でお互いから離れる。さらに、信号サブキャリアと混合されるための干渉は本発明に対しそのような方法で生成されるので、干渉が割り当てられた、そのサブチャネルの帯域サブレンジに対し干渉は個々の帯域内に制限される。したがって、個々の帯域サブレンジに割り当てられた帯域での干渉は、オーバーラップせず、さらに、スペクトル的にもお互いから離れる。
【００１１】
方法を実行するために、送受信装置と少なくとも１つの端末装置が無線通信システム内に提供され、そこで、伝送チャネルは、データを含む信号サブキャリアの生成を通じて送受信装置と端末装置との間にセットアップされる。
【００１２】
本発明で達成された利点は、特に、例え伝送チャネルが異なるタイプの干渉パラメータをもつ干渉、例えば異なる干渉信号及び／又は干渉ノイズ、で供給されたり、異なるタイプのパラメータをもつ信号サブキャリア、例えば、変調パラメータ、符号化パラメータ、及び／又は、振幅パラメータ、で供給されたりしても、伝送チャネルの１つ１つのサブチャネルのための伝送性能が同時に判定されるということにある。さらに、帯域サブレンジのオーバーラップは、供給された全帯域レンジ上の、直接的又は間接的に隣接した帯域サブレンジの配列を通じて避けられる。
【００１３】
直接又は間接に隣接した帯域サブレンジの間隔は、後者に割り当てられた信号データキャリアのスプリアス共振を、隣接した帯域サブレンジに収容された他の信号データキャリアに影響を及ぼすことから妨げもする。さらに、本発明による装置と本発明による方法は、伝送チャネルのサブチャネルの伝送性能を同時に判定することを通じて、信号サブキャリアのパラメータを、伝送チャネルの特に効率的な開発のために後者に割り当てられたサブチャネルへ、ことさら急速に適応できるようにするし、伝送チャネルの効率的な開発を通じて、信号データキャリア経由で伝送されたデータのデータ率の増加も達成されるようになる。
【００１４】
好ましくは、送受信装置は干渉を生成する。送受信装置、及び／又は、端末装置は、便宜上、干渉が重ね合わさった信号サブキャリアに基づいて伝送性能を判定することを目的とするものである。
【００１５】
有利な実施形態によると、エラー検出、好ましくは、信号サブキャリアの方式によって伝送されるデータのエラー検出は、サブチャネルの伝送性能を判定するために実行される。エラー検出は、便宜上、エラー検出方法の方式、特に、巡回拡張検索ＣＲＣ方式、及び／又は、ＡＣＫ／ＮＡＫ信号の方式によって実行される。
【００１６】
本願の巡回拡張検査ＣＲＣのケースでは、端末装置が、データ伝送のエラー検出用の受信データから判定されたチェックサムを送受信装置へ返すことが好ましい。
【００１７】
本願のＡＣＫ／ＮＡＫ信号のケースでは、端末装置が、便宜上、信号サブキャリアの方式によって伝送されたデータの受信や誤りのない送信を認識するために、ＡＣＫ信号（確認、認識）を送受信装置へ伝送したり、データのエラー伝送を示すためにＮＡＫ信号（否定的な確認、否定的な認識）を送受信装置へ伝送したりすることが好ましい。
【００１８】
好ましくは、エラー検出は、送受信装置で実行される。この目的のために、送受信装置から端末装置へ伝送されたデータは、少なくとも送受信装置に部分的に返される。これは、好ましくは、ループバックの方式によって発生し、そこでは、伝送チャネルを伴った送受信装置と端末装置がループ回路のタイプ、いわゆる、ループバックを形成する。この状況では、端末装置は、送受信装置に知らせるために、データと共に受信した信号か認識信号だけかをループ回路に供給する。
【００１９】
便宜的なさらなる開発では、サブチャネルの伝送性能は、ブロックエラー率、及び／又は、セルロス率を判定することによって伝送されたデータの総ビット数に関連して、エラーとして伝送されたデータのビット数からビットエラー率を測定することによってエラーを検出することから判定される。
【００２０】
この状況では、好ましくは、ビットエラー率、ブロックエラー率、及び／又は、セルロス率が送受信装置によって判定される。
【００２１】
有利な実施形態について言えば、いくつかのサブチャネルは、送受信装置と端末装置との間に、特に、アップリンクチャネルから離れたダウンリンクチャネルの構成のために、セットアップされる。１つのサブチャネルが便宜上各信号サブキャリアに提供される。
【００２２】
有利な実施形態について言えば、保護帯域範囲は、全帯域レンジ上の帯域サブレンジの間に提供される。保護帯域レンジは、帯域サブレンジのオーバーラップを妨げ、隣接した帯域サブレンジに収容された２つの信号サブキャリアが相互に影響を及ぼすことを最小限とするために役立つ。
【００２３】
有利な実施形態について言えば、干渉は、干渉信号、及び／又は、いくつかの干渉信号の重ね合わせ、特に、加法性ホワイトガウスノイズとして、変調された、又は、連続的な信号として形成される。干渉は、便宜上、周波数、帯域、振幅、及び／又は、位相で異なる。
【００２４】
便宜的なさらなる発展では、信号サブキャリアによって占められた帯域サブレンジは異なる帯域からなる。好ましくは、信号サブキャリアは、異なって変調されおり、及び／又は、チャネルが符号化されている。信号サブキャリアによって伝送されたデータ比率は、便宜上、異なった規模である。
【００２５】
好ましくは、送受信装置は、信号サブキャリアと好ましくは干渉を生成し、サブチャネルの伝送性能を判定する機能をもつシステムシミュレータとして意図されている。
【００２６】
便宜的なさらなる開発では、本装置は干渉を生成するための干渉信号生成器からなり、この干渉は好ましくは無線通信システム内で伝送チャネル内へ干渉の結合のために統合される。好ましくは、干渉信号生成器がベクトル信号発生器として意図される。
【００２７】
本発明の典型的な実施形態は、図面を参照しつつ以下により詳細に説明される。図は次の通りである。
【図面の簡単な説明】
【００２８】
【図１】図１は、送受信装置と端末装置を伴った無線通信システムを概略的に示す。
【図２】図２は、帯域サブレンジを含む伝送チャネルの総帯域レンジを示す。
【発明を実施するための形態】
【００２９】
図１は、送受信装置４と、端末装置８，１０を伴った無線通信システム６と、を備えた装置２を示す。図に示された典型的な実施形態による装置２は、干渉信号発生器１２からもなり、これは、１つ以上が重なりあった干渉信号における干渉を生成し、信号線１４を経由してマルチプレクサ１６へ干渉を供給する。マルチプレクサ１６は、干渉をデータ伝送信号キャリアと混合する。このデータ伝送信号キャリアは、送受信装置４によって生成され、信号線１８を経由してマルチプレクサ１６へ供給され、信号線２０を経由してデマルチプレクサ２２へ提供されるものである。デマルチプレクサ２２は、信号キャリアをいくつかの信号サブキャリアに細分化し、無線通信システム６内に形成される伝送チャネルのサブチャネル２４，２６，２８における信号サブキャリアに届ける。
【００３０】
サブチャネル２４，２６，２８は送受信装置４と無線通信システム６内の端末装置８，１０との間の無線通信を形成する。端末装置８，１０は被試験端末（Device Under Test DUT）である。
【００３１】
この状況内で、２つのサブチャネル２４，２６が端末装置８，１０に割り当てられ、そこでは、一方のサブチャネル２４がアップリンクチャネルとしての役目を果たし、他方のサブチャネル２６が端末装置８のダウンリンクチャネルとしての役目を果たす。
【００３２】
サブチャネル２４，２６，２８の伝送性能を判定するために、エラー検出は、個々のサブチャネル２４，２６，２８が割り当てられた端末装置８，１０、及び／又は、送受信装置４で実行される。
【００３３】
第１のケースでは、エラー検出は、チェックサムを生成するために巡回拡張検査の方式によって、及び／又は、ＡＣＫ信号（認識信号）やＮＡＫ信号（否定的な認識信号）の生成方法の方式によって、端末装置８，１０で実行され、そこでは、チェックサムや、ＡＣＫ信号やＮＡＫ信号の各々が、ビットエラー率、ブロックエラー率、及び／又は、セルロス率を判定することによってエラー検出を評価するために、送受信装置４に伝えられる。
【００３４】
第２のケースでは、エラー検出は送受信装置４によって実行され、そこでは、端末装置８，１０が伝送されたデータを送受信装置４へ送る働きだけをする。
【００３５】
図２は、周波数ｆでの伝送チャネルの形成を示す。全帯域レンジ３０は、伝送チャネルに割り当てられる。この全帯域レンジ３０は、帯域サブレンジ３２，３４，３６に分割される。各ケースでは、干渉４４，４６，４８によって同時に重ね合わさる、ある信号サブキャリア３８，４０，４２は、各帯域サブレンジ３２，３４，３６に収容される。この状況では、信号サブキャリア３８，４０，４２と干渉４４，４６，４８は、そのような方式で帯域制限されるので、個々の信号サブキャリア３８，４０，４２と個々の干渉４４，４６，４８は後者に割り当てられた帯域サブレンジ３２，３４，３６だけを占め、保護帯域レンジ５０，５２の１つの帯域によって隣接した帯域サブレンジ３２，３４，３６から離れる。
【００３６】
帯域サブレンジ３２，３４，３６は、帯域内でお互いオーバーラップしないので、帯域サブレンジ３２，３４，３６（図１参照）によって占められたサブチャネルの伝送性能は、すべてのサブチャネル２４，２６，２８を同時に取り調べることで、１つ１つのサブチャネル２４，２６，２８に対して判定される。
【００３７】
したがって、伝送チャネルのサブチャネルの伝送性能を著しく迅速に判定することが可能となる。例えサブチャネルに収容された信号サブキャリアが異なる干渉で供給されても、全サブチャネルの伝送性能をいっせいに取り調べることは保証される。
【００３８】
したがって、干渉が重ね合わさった信号キャリアは、異なった方法で変調され、時間的に連続な又は時間的に不連続な信号として作られ、及び／又は、異なる信号ノイズ比を提供できる。さらに、信号サブキャリアのデータ率の容量は、異なる規模となることができる。
【００３９】
本発明は、図に示された例示的実施形態に限定されない。特に、例示的実施形態で示された全帯域内での帯域サブレンジ及び保護帯域レンジを細分化することに限定されない。上述した、及び、図示したすべての特徴は必要に応じてお互いに併用することができる。
【図１】
0005380307.tif 000002
【図２】
0005380307.tif 000003